(57)【特許請求の範囲】
【請求項１】
網地と、４×ｎ（但し、ｎは１〜２４の整数）本のストランドで編組された編組ロープと前記編組ロープの前記ストランド間に所定間隔で挿通される仕立部材とからなり前記仕立部材が前記網地の周縁部の網目に挿通され配設された縁部材と、を有し、前記網地が膨出状に形成され、前記編組ロープの前記ストランドの各々が約１８０°異なる方向に交互に露出するように編組され、かつ、略同一直線上に露出した前記ストランドと他の略同一直線上に露出した前記ストランドの色が異なることを特徴とするゴミ集積場用ネット。
【請求項２】
前記縁部材が、前記網地の網目を広げ展開して略正方形にした際の前記網地の外周長さの４０％〜９５％の長さで形成されていることを特徴とする請求項１に記載のゴミ集積場用ネット。
【請求項３】
前記網地及び／又は前記縁部材に、内設又は所定部に配設された重量付加部材を備えていることを特徴とする請求項１又は２に記載のゴミ集積場用ネット。
【請求項４】
前記網地及び／又は前記縁部材の所定部に配設又は形成された係止部材、前記網地及び／又は前記縁部材の所定部に結束された若しくは前記縁部材の編組ロープのストランド間に挿通して編組ロープに取り付けられた補助仕立部材の内いずれか１以上を備えていることを特徴とする請求項１乃至３の内いずれか１項に記載のゴミ集積場用ネット。
【請求項５】
前記網地が二重に形成され、及び／又は、前記網地又は前記縁部材に連結され前記網地に対向して底部を形成する第２ネットを備えていることを特徴とする請求項１乃至４の内いずれか１項に記載のゴミ集積場用ネット。
【請求項６】
前記網地又は前記第２ネットの所定部に開閉自在に形成された投入開閉部を備えていることを特徴とする請求項１乃至５の内いずれか１項に記載のゴミ集積場用ネット。
【発明の詳細な説明】
【０００１】
【発明の属する技術分野】
本発明は、ゴミ回収日等に屋外のゴミ集積場に一時的に集積されるゴミ袋の散乱を防止するとともに、カラスや猫，犬等の動物がゴミ集積場に集積されたゴミ袋を破ってゴミが散乱するのを防止するゴミ集積場用ネットに関するものである。
【０００２】
【従来の技術】
従来から、家庭や職場等の種々の生活空間から排出される生ゴミ等のゴミは、所定のゴミ回収日にゴミ袋に入れて所定のゴミ集積場に出されている。ゴミ集積場は、町内や団地毎等に電柱や塀，ガードレール付近等の道端の所定位置に決められていることが多く、ゴミ集積場では、ゴミ回収車がゴミの回収に来るまでゴミ袋が山積みされたまま放置されている。
【０００３】
しかしながら、従来から、ゴミ集積場に集められるゴミ袋内には生ゴミが含まれているので、ゴミ回収車によるゴミ袋の回収までに、カラスや猫，犬等の動物がゴミ袋を破って残飯等をあさり、周囲にゴミを散乱させるという問題点を有していた。
そこで、近年では、カラスや猫，犬等の動物がゴミ袋を破るのを防止するために、ゴミ集積場に集められるゴミ袋の山を覆うゴミ集積場用ネットに関するものとして種々のものが開発されている。
【０００４】
例えば、実開平６−１６３０７号公報（以下、イ号公報という）には、無結節に編んだ柔軟な網の各辺にロープを挿通し、網の角部から各ロープの端部を引き出し、ロープの端部を利用して全体を支柱などに固定して生ごみに被せた生ごみ回収用の防護ネット、が開示されている。
【０００５】
特開平８−５８９１０号公報（以下、ロ号公報という）には、ごみ袋の山を覆う網体の周縁部に沿って重りを止着してなるごみ袋防護装置、が開示されている。
【０００６】
特開平１０−１２９８０２号公報（以下、ハ号公報という）には、所要の網目を有して収納空間を形成する網本体において、該網本体の内部に所要数の空間保持体を具備してなるゴミ収納網、が開示されている。
【０００７】
【発明が解決しようとする課題】
しかしながら、上記従来のゴミ集積場用ネットは以下の課題を有していた。
【０００８】
イ号公報に記載の生ごみ回収用の防護ネットでは、網が平面状に形成されているので網に膨らみがなく、立体的に盛り上がっているごみ袋の山に該生ごみ回収用の防護ネットを被せた際に、ごみ袋の嵩により生ごみ回収用の防護ネットの周縁部が地面から浮き、地面との間に間隙部が形成され、間隙部からカラスや猫，犬等の動物がごみ袋を引き出してごみを散乱し、ごみ袋を確実に防護できない。特に、該生ごみ回収用の防護ネットを塀等に吊り下げてごみ袋を覆った場合、ごみ袋の嵩により塀と該生ゴミ回収用の防護ネットの間に間隙部ができ、間隙部からカラスや猫，犬等の動物がごみ袋を引き出してごみを散乱させる。また、ごみ袋の山を完全に該生ごみ回収用の防護ネットで覆う場合には、ごみ袋の山の占有面積よりはるかに大きな網の面積が必要になり生ごみ回収用の防護ネットが大型化し、生ごみ回収用の防護ネットが歩道等にはみ出し邪魔になるとともに、取り扱い性に欠ける。また、ごみ袋の山が崩れ、ごみ袋が生ごみ回収用の防護ネットからはみ出易い。更に、網の各辺に挿通されたロープが網の角部から引き出されているので、ロープが地面と接して汚れ、ごみ袋を該生ごみ回収用の防護ネット内に入れる使用者に不快感を与え、衛生性に欠け、また、ロープが地面と接しているので地面との摩擦によりロープが切れ易く耐久性に欠ける。という課題を有していた。
【０００９】
ロ号公報に記載のごみ袋防護装置では、ごみ袋防護装置の周縁部が地面と接するので周縁部が汚れ、周縁部を捲ってごみ袋を網体内に入れる使用者に不快感を与えるとともに、衛生性に欠ける。また、網体が平面状に形成されているので、特に集積されたごみ袋の山が大きい場合、該ごみ袋防護装置の周縁部が地面から浮き、地面との間に間隙部ができ、間隙部からカラスや猫，犬等の動物がごみ袋を引き出してごみを散乱し、ごみ袋を確実に防護できない。更に、網体の周縁部に折り返し部を形成して折り返し部に鎖を挿通して重りとしているので、折り返し部が地面と接して摩擦等により摩耗し、損傷し易く耐久性に欠けるとともに、折り返し部が損傷した場合、網体全ての交換を要しメンテナンス性に欠ける。という課題を有していた。
【００１０】
ハ号公報に記載のゴミ収納網では、網本体の内部に所要数の空間保持体を具備しているので、該ゴミ収納網の部品点数が多く生産作業が煩雑になるとともに、該ゴミ収納網の生産時に空間保持体取り付けの手間を要し、生産性に欠ける。また、網本体に所要数の空間保持体を有しているので、該ゴミ収納網の未使用時に空間保持体が嵩張り収納性に欠ける。更に、網本体の内部に空間保持体を有し、ゴミ袋の山と網本体の間に空間を形成するので、網本体が大型化する。という課題を有していた。
【００１１】
本発明は上記従来の課題を解決するもので、ゴミ袋の山を広範囲に広げることなく覆うことができるとともに、カラスや猫，犬等の動物によりゴミ袋が引き出されてゴミが荒らされるのを確実に防止でき、また、簡単な構造で生産性に優れるとともに、耐久性やメンテナンス性に優れたゴミ集積場用ネットを提供することを目的とする。
【００１２】
【課題を解決するための手段】
上記従来の課題を解決するために本発明におけるゴミ集積場用ネットは、以下の構成を有している。
【００１３】
本発明の請求項１に記載のゴミ集積場用ネットは、網地と、４×ｎ（但し、ｎは１〜２４の整数）本のストランドで編組された編組ロープと前記編組ロープの前記ストランド間に所定間隔で挿通される仕立部材とからなり前記仕立部材が前記網地の周縁部の網目に挿通され配設された縁部材と、を有し、前記網地が膨出状に形成され、前記編組ロープの前記ストランドの各々が約１８０°異なる方向に交互に露出するように編組され、かつ、略同一直線上に露出した前記ストランドと他の略同一直線上に露出した前記ストランドの色が異なる構成を有している。
【００１４】
これにより、網地が膨出状に形成されているので、ゴミ集積場に集積されたゴミ袋を広範囲に広げることなくゴミ袋を山積みにした状態で該ゴミ集積場用ネットでゴミ袋の山を確実に覆うことができるという作用を有する。また、山積みされたゴミ袋に網地を覆設した場合でも、該ゴミ集積場用ネットの縁部材が地面から浮き、地面と縁部材との間に間隙部ができるのを防止できるという作用を有する。
また、縁部材が、編組ロープと、編組ロープのストランド間に挿通される仕立部材で構成されているので、仕立部材を編組ロープのストランド間に挿通し、次に網地の周縁部の網目に挿通する作業を繰り返すことにより、網地と編組ロープを仕立部材で連結することができ、編組ロープと網地の連結作業が容易にできるという作用を有する。
編組ロープがストランドで編組されているので、編組ロープを長さ方向に圧縮させるか、スパイキ等の挿通具をストランド間に挿通するだけで容易にストランド間を広げることができ、仕立部材を容易にストランド間に挿通できる。更に、各ストランドのピッチが分かり易く、特に、糸通し等の挿通具を用いた場合、ストランド間に挿通具を挿通すると同時に仕立部材をストランド間に挿通することができ、仕立部材の挿通作業が容易にできるという作用を有する。
略一直線上に露出したストランド間に仕立部材を挿通して網地と編組ロープを連結した場合、仕立部材が地面に接し難く仕立部材の耐久性や網地と編組ロープとの連結強度を向上できるという作用を有する。
また、編組ロープとして、ストランドの各々が約１８０°異なる方向に交互に露出したものを用いることにより、ストランドのピッチが分かり易く、特に、編組ロープを網地の周縁部の長さより短くし、網地の周縁部をいせ込みながら編組ロープと連結する際に、網地のいせ込みが容易にでき、容易に網地を膨出状にすることができる。
更に、略一直線上に露出したストランドの色と、そのストランドと隣り合う他の一直線上に露出したストランドの色を異ならせることにより、各ストランドのピッチがより分かりやすくなり、仕立部材の挿通作業性や網地のいせ込み作業性を向上できる。
【００１５】
ここで、網地としては、ポリエチレン製，ナイロン製，テトロン製等の合成樹脂製で、耐久性や耐候性に優れ、網目が角目状や菱目状のものが用いられる。また、網地に撥水加工や防炎加工等を施してもよい。撥水加工を施すことにより、網地が雨等で濡れて使用者に不快感を与えたり、網地の重量が増加して取り扱い性が低下するのを防止でき、また、防炎加工を施すことにより、ゴミ集積場で火災が発生した際に網地が燃えるのを防止できる。
また、網地は、平面部と側面部で立体的に形成して網地を膨出状としたものや、平面状の網地の周縁部に縁部材を取り付けるとともに網地の周縁部を絞り込み（いせ込み）網地を膨出状としたもの、又は、平面状の網地の周縁部の所定部（例えば、長方形状の網地の四隅）を束ねて結束し網地を膨出状としたもの等が用いられる。
網地の膨出率としては、縁部材で囲まれた平面状の面積に対して網地を展開したときの総面積を１０％〜５００％増、好ましくは、２０％〜２００％増にするのが好ましい。これにより、壁や塀に寄りかからせて集積したゴミ袋の山の場合でも、地面に山積みされたゴミ袋の山の場合でも、該ゴミ集積場用ネットで確実に覆うことができる。ここで、膨出率が２０％より小さくなるにつれて、該ゴミ集積場用ネットの外形が小さい場合にゴミ袋の集積率が低くなり使用し難くなる傾向が有り、また、膨出率が２００％より大きくなるにつれて、ゴミ袋を該ゴミ集積場用ネット内に入れる際に、既に集積されているゴミ袋の下方に縁部材が入り込み縁部材を捲り上げ難くなる傾向が有る。更に、膨出率が１０％より小さくなるにつれて、ゴミ袋の山を該ゴミ集積場用ネットで覆設した際に縁部材が地面から浮き地面と縁部材との間に間隙部ができる傾向が顕著になり、また、膨出率が５００％より大きくなるにつれて、該ゴミ集積場用ネットの網地が嵩張り取り扱い性や未使用時の収納性を低下させる傾向が顕著になり、いずれも好ましくない。
【００１６】
縁部材としては、編組ロープ等のロープや、ゴムやストレッチヤーン等の伸縮性を有した伸縮部材等が好適に用いられる。特に、縁部材が伸縮部材からなる場合、集積場に集積されたゴミ袋の山を該ゴミ集積場用ネットで覆った際に、縁部材の伸縮により、縁部材がゴミ袋の下方に入り込んでゴミ袋に引っ掛かり該ゴミ集積場用ネットが風等で容易に捲れあがったり、ゴミ袋の山から外れて飛んだりするのを防止できる。
縁部材として、編組ロープの中心や各ストランドに鉛線やワイヤロープ，鉛や鉄等の金属片を挿入してもよい。これにより、縁部材の重量が重くなるため、該ゴミ集積場用ネットの縁部が使用時に地面から浮き上がるのを防止できるとともに、風等により該ゴミ集積場用ネットの縁部が捲れあがるのを防止できる。
【００１７】
特に、該ゴミ集積場用ネットを二つ折りにし少なくとも１ヵ所以上の縁部材同士を縫合又は係合等により連結した場合、該ゴミ集積場用ネットが袋状となり、該ゴミ集積場用ネット内にゴミ袋を入れたまま容易に持ち運びができ、ゴミ集積場に集積されたゴミ袋を該ゴミ集積場用ネットごと一度に回収でき、ゴミ袋の回収作業性を向上できる。
【００１８】
編組ロープとしては、４×１本〜４×４本のストランドで編組しているのが好適に用いられる。これにより、網地と編組ロープを仕立部材で連結する際に、ストランド間を広げて容易に仕立部材を挿通することができ、該ゴミ集積場用ネットの仕立作業性を向上できる。尚、ストランドの本数が、４×２４本より多くなると、ストランド間に仕立部材を挿通し難くなる傾向が有るとともに、各ストランドの径が細くなり編組ロープの表面に凹凸ができ難く断面が略円形状になるため、編組ロープが地面に対して滑り易く、特に、編組ロープ上に人が乗った際に横転事故を引き起こす可能性が有り好ましくない。
また、特に、ストランドの色の一方を黒等の暗視色とし、他方を青，緑，黄，赤等の明視色とするのが好ましい。これにより、色の対比が明確で各ストランドのピッチがより明確になり、該ゴミ集積場用ネットの生産性を更に向上でき、また、特に、明視色を蛍光性とした場合、夜間でも該ゴミ集積場用ネットの位置が見やすく、特に、夜間にゴミ回収を行う場合にゴミの集積場所が分かり易く回収作業性を向上できるとともに、歩行者や自動車等が該ゴミ集積場用ネットを引っ掛けるのを防止できる。
【００２１】
仕立部材としては、編組ロープのストランド間に挿通した挿通部で編組ロープの表面に仕立部材が露出しないように挿通するのが好ましい。これにより、仕立部材の挿通部が編組ロープの表面に露出していないので、仕立部材が地面等で摩擦されて損傷するのを防止でき、仕立部材の耐久性を向上でき、しいては該ゴミ集積場用ネットの耐久性を向上できる。
【００２２】
本発明の請求項２に記載のゴミ集積場用ネットは、請求項１に記載の発明において、前記縁部材が、前記網地の網目を広げ展開して略正方形にした際の前記網地の外周長さの４０％〜９５％の長さで形成された構成を有している。
【００２３】
これにより、縁部材の長さが網地の網目を広げ展開して略正方形にした際の網地の外周長さより短く形成されているので、網地をいせ込みながら縁部材に取り付けることができ、網地と縁部材を連結するだけで、容易に網地をいせ込んで膨出状に形成できるという作用を有する。
【００２４】
ここで、特に、縁部材が編組ロープと仕立部材で構成されている場合、編組ロープの長さが、網地の網目を広げ展開して略正方形にした際の網地の外周長さの４０％〜９５％で形成され、仕立部材が、編組ロープと網地の連結に要する長さに応じて形成される。これにより、網地の周縁部をいせ込んで網地を膨出状にすることができる。
【００２５】
尚、縁部材の長さが、網地の網目を広げ展開して略正方形にした際の網地の外周長さの４０％より短く形成されている場合、網地のいせ込み量が多くなり該ゴミ集積場用ネットの生産作業性に欠けるとともに、該ゴミ集積場用ネットの網地の膨出率が大きくなり過ぎ取り扱い性や未使用時の収納性に欠ける傾向が有り、また、網地の網目を略正方形にした際の網地の外周長さの９５％より長く形成されている場合、網地のいせ込み量が少なくなり過ぎ網地に十分な膨出を形成できず、ゴミ袋の山を該ゴミ集積場用ネットで確実に覆うことができなくなる傾向が有り、いずれも好ましくない。
特に、縁部材の長さを、網地の網目を広げ展開して略正方形にした際の網地の外周長さの５０％〜９０％で形成するのが好ましい。これにより、通常ゴミ集積場に集積される平均的なゴミ袋の山を該ゴミ集積場用ネットで覆うのに必要な膨出率を持たせて網地を縁部材にいせ込み連結することができる。
【００２６】
本発明の請求項３に記載のゴミ集積場用ネットは、請求項１又は２に記載の発明において、前記網地及び／又は前記縁部材に、内設又は所定部に配設された重量付加部材を備えた構成を有している。
【００２７】
これにより、網地や縁部材が風等で捲れあがり、該ゴミ集積場用ネットがゴミ袋の山から外れたり、該ゴミ集積場用ネットが飛んだりするのを防止できるという作用を有する。
特に、縁部材に重量付加部材を取り付けた場合、縁部材が地面から浮き上がるのを確実に防止でき地面と縁部材の間に間隙部ができるのを防止できるとともに、カラスや猫，犬等の動物が縁部材を持ち上げて該ゴミ集積場用ネット内のゴミ袋等を荒らすのを防止できるという作用を有する。
縁部材に重量付加部材を内設した場合、重量付加部材が該ゴミ集積場用ネットの外周側等に露出せず、該ゴミ集積場用ネットの取り扱い性を向上できるという作用を有する。
【００２８】
ここで、重量付加部材としては、縁部材に配設する場合、縁部材に外嵌される重りや縁部材に取り付けられるチェーン、縁部材内に内設した鉛や鉄等の金属片やワイヤ等が用いられる。特に、縁部材が編組ロープと仕立部材で構成されている場合、編組ロープに重量付加部材を配設するのが好ましく、例えば、編組ロープに外嵌される筒状体からなる重りや、編組ロープの中心や各ストランドに挿入して内設された鉛線やワイヤロープ，鉛片等が用いられる。これにより、重量付加部材を容易に配設することができるとともに、編組ロープに挿通される仕立部材の重量を重くしていないため、仕立部材の挿通作業性や網地の取付作業性が低下するのを防止できる。また、重量付加部材は、縁部材の全周、又は、各辺部の所定部や、縁部材の角部等に配設される。
また、網地に重量付加部材を配設する場合、網地の周縁部側に重量付加部材を配設するのが好ましい。これにより、網地の周縁部が地面から浮き上がるのを防止できるとともに、周縁部が風等で捲れるのを防止でき、また、網地の中央側に重量付加部材が配設されていないので、網地が内部のゴミ袋に密着するのを防止でき、使用者の不快感を軽減できる。
【００２９】
尚、重量付加部材を縁部材に内設又は配設する場合、重量付加部材により縁部材の重量を０．０５ｋｇ／ｍ〜２．５ｋｇ／ｍ、好ましくは０．１ｋｇ／ｍ〜１．０ｋｇ／ｍ、より好ましくは、０．２ｋｇ／ｍ〜０．５ｋｇ／ｍとする。これにより、該ゴミ集積場用ネットが風で捲れたり飛んだりするのを防止できるとともに、使用者が縁部材を捲り上げる際に縁部材を容易に持ち上げることができる。縁部材が０．１ｋｇ／ｍより軽くなると縁部材が風で容易に捲れ上がりゴミ袋の山から外れて飛ぶ傾向が強くなり、１．０ｋｇ／ｍより重くなると使用者が縁部材を持ち上げ難く使用性に欠ける傾向が強くなるが、団地等の風の少ない所で使用する場合や該ゴミ集積場用ネットが大型の場合は風で該ゴミ集積場用ネットが飛ぶことが少ないため、縁部材の重量を０．０５ｋｇ／ｍにしてもよく、また、海岸沿い等の風の強い所で使用する場合や該ゴミ集積場用ネットを塀やフェンス等に掛けて使用する場合では風で該ゴミ集積場用ネットが捲れたり飛んだりし易いため、縁部材の重量を２．５ｋｇ／ｍとしてもよい。更に、縁部材が０．２ｋｇ／ｍ〜０．５ｋｇ／ｍの場合、特に、平均的なゴミ集積場の大きさ（２ｍ×３ｍ、若しくは３ｍ×４ｍの方形状）に応じて該ゴミ集積場用ネットを作成する場合に適しており、縁部材が風で捲れあがったり該ゴミ集積場用ネットが風で飛ぶのを防止できるとともに、使用者が縁部材を容易に持ち上げてゴミ袋を内部へ入れることができ、また、該ゴミ集積場用ネットの全重量が重くなり過ぎず持ち運びが容易にできる。
【００３０】
本発明の請求項４に記載のゴミ集積場用ネットは、請求項１乃至３の内いずれか１項に記載の発明において、前記網地及び／又は前記縁部材の所定部に配設又は形成された係止部材、前記網地及び／又は前記縁部材の所定部に結束された若しくは前記縁部材の編組ロープのストランド間に挿通して編組ロープに取り付けられた補助仕立部材、の内いずれか１以上を備えた構成を有している。
【００３１】
これにより、網地及び／又は縁部材の所定部に係止部材を配設又は形成した場合、該ゴミ集積場用ネットを塀やフェンス，ガードレール、又は竿等の棒状やパイプ状のネット掛け具等に係止して使用することができ、使用性を向上できるという作用を有する。
該ゴミ集積場用ネットを二つ折りにして対向する部分を係止部材で係止することにより、該ゴミ集積場用ネットを袋状にして使用することができ、該ゴミ集積場用ネットを種々の場所で種々の形状で使用することができ、使用性を向上できるという作用を有する。
【００３２】
また、網地の所定部に補助仕立部材を配設した場合、該ゴミ集積場用ネットの網地の補強ができ耐久性を向上できるという作用を有する。
特に、網地の略中央に補助仕立部材を配設し該ゴミ集積場用ネットを二つ折りにして使用した際に、該ゴミ集積場用ネット内にゴミ袋等を入れて保護することができ、カラス等の動物によりゴミが荒らされるのを防止できるという作用を有する。
縁部材の所定部に補助仕立部材を配設した場合、補助仕立部材に重量付加部材や、係止部材を取り付けることができるという作用を有する。
【００３３】
ここで、係止部材としては、塀やフェンス，ガードレール，竿等の棒状やパイプ状のネット掛け具等に係止されるフック状やリング状，Ｓ字状等の金具や、紐、又は、該ゴミ集積場用ネットの外周の所定部に縁部材で輪状部を形成したもの等が用いられる。また、特に、該ゴミ集積場用ネットを二つ折りにした際に対向する網地の縁部材の辺部にフック状の係止部材を取り付けた場合、該ゴミ集積場用ネットを二つ折りにして対向する縁部材や網目、又は対向する位置に配設されたリング状等の係止部材にフック状の係止部材を係止するだけで、容易に該ゴミ集積場用ネットを袋状にすることができる。更に、係止部材は縁部材や網地に嵌着、又は仕立糸等により結束される。
【００３４】
補助仕立部材としては、網地や縁部材の所定部に結束されたロープ状物等が用いられる。また、特に、縁部材が、編組ロープと仕立部材で構成されている場合、仕立ロープ等からなる補助仕立部材を仕立部材と同様に編組ロープのストランド間に挿通して編組ロープに取り付けることができ、更に、補助仕立部材に重量付加部材や係止部材等を取り付けることができる。また、補助仕立部材をストランド間に挿通して重量付加部材や係止部材等を編組ロープに取り付けた場合、補助仕立部材を取り外すだけで容易に重量付加部材や係止部材を編組ロープから取り外すことができ、特に、該ゴミ集積場用ネットの洗浄等のメンテナンスが容易にできる。
【００３５】
更に、網地の略中央にロープ状の補助仕立部材を配設し、補助仕立部材に係止部材を配設するとともに、該ゴミ集積場用ネットを補助仕立部材で二つ折りにして係止部材で竿等のパイプ状や棒状のネット掛け具等につり下げて使用することもできる。また、この場合、対向する縁部材の辺部の所定部に係止部材を配設し、対向する辺部を連結してもよい。これにより、二つ折りにした該ゴミ集積場用ネットが広がり縁部材間に大きな間隙部ができるのを防止できる。
【００３６】
本発明の請求項５に記載のゴミ集積場用ネットは、請求項１乃至４の内いずれか１項に記載の発明において、前記網地が二重に形成され、及び／又は、前記網地又は前記縁部材に連結され前記網地に対向して底部を形成する第２ネットを備えた構成を有している。
【００３７】
これにより、網地を二重に形成することにより、網地を補強することができ、網地の耐久性を向上できるとともに、網地を破る動物の被害をより確実に防止できるという作用を有する。
網地が二重に形成されているので、該ゴミ集積場用ネットの外周側の網地が直接ゴミ袋等に触れるのを防止でき、該ゴミ集積場用ネット内にゴミ袋を入れる際の不快感を軽減できるという作用を有する。
【００３８】
網地又は縁部材に連結された第２ネットを備えることにより、該ゴミ集積場用ネットを、膨出状の膨らみを有した袋状にすることができ、網地と第２ネットで形成された袋状内部へゴミ袋等を入れることができ、狭い場所でもゴミ袋が占める占有面積を広げることなくゴミ袋を集積できるという作用を有する。
また、内部にゴミ袋を入れたまま集積されたゴミ袋を、該ゴミ集積場用ネットと共に容易に持ち運ぶことができ、集積されたゴミ袋の回収作業性を向上できるという作用を有する。
【００３９】
ここで、網地を二重にする際の網地としては、一方の網地の網目の大きさと他方の網地の網目の大きさを同一にしても異ならせてもよい。特に、一方の網地の膨出率を他方の網地の膨出率より大きくして膨出率の大きい方の網地を該ゴミ集積場用ネットの外周側にした場合、膨出率の大きい方の網地が該ゴミ集積場用ネット内のゴミ袋等に直接触れるのを確実に防止でき、該ゴミ集積場用ネット内にゴミ袋を入れる際の不快感を軽減できる。
【００４０】
第２ネットとしては、膨出状又は平面状に形成された網地からなるものや、網地の周縁部に縁部材を有したもの等が用いられる。特に、網地が膨出状に形成されたものを用いた場合、広い空間を形成できゴミ袋をより多く集積できる。
また、第２ネットとしては、網地の縁部材に仕立糸や補助仕立部材等で連結、又は、第２ネットの縁部材を仕立糸等で縫合、等により連結される。ここで、網地又は縁部材と第２ネットを連結する場合、一部に開口部を残して連結される。
これにより、開口部から内部へゴミ袋を容易に入れることができる。尚、網地又は第２ネットの所定部にゴミ袋投入用の開閉部を形成した場合は、開口部を形成しなくてもよい。
【００４１】
本発明の請求項６に記載のゴミ集積場用ネットは、請求項１乃至５の内いずれか１項に記載の発明において、前記網地又は前記第２ネットの所定部に開閉自在に形成された投入開閉部を備えた構成を有している。
【００４２】
これにより、該ゴミ集積場用ネット内にゴミ袋を入れる際に、縁部材を捲り上げることなく、投入開閉部から入れることができ、ゴミ袋の山が崩れるのを防止でき、ゴミ袋の山の上方側から容易にゴミ袋を入れることができるという作用を有する。
【００４３】
ここで、投入開閉部としては、網地及び／又は第２ネットの所定部に開口した投入開口部と、投入開口部に開閉自在に配設された蓋部材とを有し、投入開口部と蓋部材の開閉部にファスナーやスナップ，マジックファスナー（商品名）等を設けたものや、投入開口部の縁部にロープを通し、ロープにより投入開口部の縁部を絞って投入開口部を閉じるもの、又は、網地及び／又は第２ネットの所定部にファスナーやマジックファスナー等で開閉自在に形成したもの等が用いられる。
【００４４】
【発明の実施の形態】
（実施の形態１）
本発明の実施の形態１におけるゴミ集積場用ネットについて、以下図面を用いて説明する。
【００４５】
図１は実施の形態１におけるゴミ集積場用ネットの全体斜視図である。
図１において、１は実施の形態１におけるゴミ集積場用ネット、２はポリエチレン製，ナイロン製，テトロン製等の合成樹脂製からなりいせ込みされて全体が膨出状に形成されている網目が菱目状の略四角形状の網地、３は網地２の周縁部に配設され鉛線等の重量付加部材が内設された縁部材である。
ここで、実施の形態１では、網地２に撥水加工を施している。
【００４６】
次に、実施の形態１におけるゴミ集積場用ネット１の網地２と縁部材３の連結部について、以下図面を用いて説明する。
【００４７】
図２は実施の形態１におけるゴミ集積場用ネットの周縁部を示す要部拡大平面図である。
図２において、２ａは網地２の周縁部の菱目状の網目、４は４×２本のストランドからなる縁部材３の編組ロープ、５は２本のストランド５ａ，５ｂを１組として約１８０°異なる方向に交互に露出するように編組された編組ロープ４のストランド、６は２本のストランド６ａ，６ｂを１組としてストランド５と略同一直線上に露出したストランド５と同色のストランド、７は２本のストランド７ａ，７ｂを１組としてストランド５，６と約９０°異なる位置で約１８０°異なる方向に交互に露出するように編組されストランド５，６と色の異なる編組ロープ４のストランド、８は２本のストランド８ａ，８ｂを１組としてストランド７と略同一直線上に露出したストランド７と同色のストランド、９は編組ロープ４のストランド５，７間，網目２ａ，ストランド６，８間，網目２ａに順に編組ロープ４の長さ方向に挿通された仕立部材である。
【００４８】
ここで、実施の形態１では、ストランド５乃至８の各ストランド５ａ乃至８ｂの内、全て又は１乃至複数のストランド５ａ乃至８ｂの各々に、略中心に鉛線からなる重量付加部材を内設し、縁部材３の全重量が、該ゴミ集積場用ネット１が風により捲れてゴミ袋の山から外れたり飛んだりせず、かつ、該ゴミ集積場用ネット１内にゴミ袋を入れる使用者が縁部材３を容易に捲りあげてゴミ袋を入れることができる重さにしている。尚、実施の形態１では、縁部材３は、ゴミ集積場の広さに応じて約１ｍ〜約３ｍ×約１ｍ〜約４ｍの方形状に形成され、重量付加部材により、０．１ｋｇ／ｍ〜１．０ｋｇ／ｍで形成されている。縁部材３が０．１ｋｇ／ｍより軽くなると重量の軽いゴミ袋が風で飛ばされる際に縁部材３が風で捲れ易くゴミ集積場用ネット１が容易にゴミ袋の山から外れたり、ゴミ集積場用ネット１が風で飛ばされたりする傾向が有り、また、縁部材３が１．０ｋｇ／ｍより重くなると使用者がゴミ袋を該ゴミ集積場用ネット１内に入れる際に縁部材３を捲りあげ難く使用性が低下する傾向が有る。
【００４９】
また、実施の形態１では、縁部材３の編組ロープ４の長さが、網地２の網目２ａを広げ展開して略正方形にした際の網地２の外周長さの６０％に形成され、網地２の網目２ａが、図２に示すように、編組ロープ４のストランド５乃至８の１／２ピッチ毎に取り付けられている。これにより、網地２の周縁部がいせ込まれ、図１に示すように、網地２が膨出状に形成される。
【００５０】
以上のように構成された実施の形態１におけるゴミ集積場用ネットの使用状態について、以下図面を用いて説明する。
図３は実施の形態１におけるゴミ集積場用ネットの使用状態を示す断面図である。
図３において、Ｘはゴミ集積場用ネット１内に収納されたゴミ袋である。
【００５１】
ゴミ集積場用ネット１は、ゴミ集積場に集積されたゴミ袋Ｘの山に、図３に示すように、覆設して使用される。ここで、ゴミ集積場用ネット１の網地２がいせ込まれて膨出状に形成されているので、図３に示すように、ゴミ袋Ｘの山を覆うように網地２が膨出状となる。
また、ゴミ袋Ｘをゴミ集積場用ネット１内に入れる場合、使用者がゴミ集積場用ネット１の縁部材３を持って捲り上げ、地面と縁部材３の間からゴミ集積場用ネット１で覆われた中へゴミ袋Ｘが入れられる。更に、ゴミ袋Ｘの回収時には、ゴミ集積場用ネット１が取り外されてゴミ袋Ｘが回収される。
【００５２】
尚、図３では、ゴミ集積場用ネット１を地面上等に置かれたゴミ袋Ｘの山に覆設して使用しているが、この他、ゴミ集積ボックスやコンテナ容器，コンクリートブロックによるゴミ用の囲い等に収容されているゴミ袋の山の上方にゴミ集積場用ネット１を覆設して使用してもよく、また、ゴミ集積ボックスやコンテナ容器、ゴミ用の囲いに直接ゴミ集積場用ネット１を被せて蓋として使用してもよく、更に、ゴミ集積ボックスやコンテナ容器、ゴミ用の囲いの所定部にゴミ集積場用ネット１の所定部を固定してゴミ袋の山やゴミ用の囲いにゴミ集積場用ネット１を被せてもよい。これにより、ゴミ袋が各容器等の上方から突出している場合でもゴミ集積場用ネット１で全てを覆うことができるとともに、各容器とゴミ集積場用ネットとの間に間隙部ができるのを防止できるので、猫やカラス等の動物にゴミが荒らされるのを防止できる。
【００５３】
以上のように実施の形態１におけるゴミ集積場用ネットは構成されているので、以下の作用を有する。
（１）網地が膨出状に形成されているので、ゴミ集積場に集積されたゴミ袋の山に該ゴミ集積場用ネットを覆設した際に、ゴミ袋の山を覆うように網地が膨出状になり、縁部材の編組ロープが地面から浮き上がり、地面と縁部材の間に間隙部が形成されるのを防止でき、カラスや猫，犬等の動物が該ゴミ集積場用ネット内のゴミ袋を荒らすのを防止できる。
（２）縁部材が編組ロープと編組ロープのストランド間に挿通される仕立部材で構成されているので縁部材が柔軟性を有し、また、編組ロープのストランドに重量付加部材を内設しているので、縁部材が地面に密着し、縁部材と地面との間から、カラスや猫，犬等の動物が該ゴミ集積場用ネット内のゴミ袋を引き出してゴミを荒らすのを防止できるとともに、該ゴミ集積場用ネットが中の重量の軽いゴミ袋と共に風により捲れあがったり、ゴミ袋の山から該ゴミ集積場用ネットが外れ、風で飛んだりするのを防止できる。
（３）縁部材が、編組ロープと、編組ロープのストランド間に挿通される仕立部材で構成されているので、仕立部材を編組ロープのストランド間と網地の周縁部の網目とに交互に挿通することにより、容易に網地と編組ロープを連結することができ、該ゴミ集積場用ネットの生産作業性を向上できる。
（４）仕立部材が、略一直線上に露出したストランドに沿って挿通されているので、仕立部材が地面に直接接し難く仕立部材の耐久性に優れるとともに、網地と編組ロープとの連結が確実にできる。
（５）編組ロープが、約１８０°異なる方向に露出した８本４組のストランドで形成されているので、編組ロープを長さ方向に圧縮するかスパイキや糸通し等の挿通具をストランド間に挿通するだけで所定のストランド間を広げることができ、仕立部材を容易にストランド間に挿通でき、また、各ストランドのピッチが分かり易く所定のピッチで容易に仕立部材を挿通することができ、仕立部材の挿通作業性に優れる。
（６）編組ロープのストランドが、略一直線上に露出したストランドの色と、そのストランドと隣り合う他の一直線上に露出したストランドの色が異なっているので、ストランドのピッチが分かり易く仕立部材の挿通作業性や網地のいせ込み作業性に優れる。
（７）縁部材の編組ロープの長さが、網地の網目を広げて略正方形にした際の網地の外周長さの６０％の長さで形成され、網地の外周長さより短く形成されているので、網地を縁部材にいせ込みながら取り付けることができ、網地と編組ロープを仕立部材で連結するだけで容易に網地を膨出状に形成することができる。
【００５４】
（実施の形態２）
本発明の実施の形態２におけるゴミ集積場用ネットについて、以下図面を用いて説明する。
【００５５】
図４は実施の形態２におけるゴミ集積場用ネットの全体斜視図である。
図４において、１０は実施の形態２におけるゴミ集積場用ネット、１１はポリエチレン製，ナイロン製，テトロン製等の合成樹脂製からなりいせ込みされて全体が膨出状に形成されている網目が角目状の略四角形状の網地、１２は網地１１の周縁部に配設された縁部材である。
【００５６】
次に、実施の形態２におけるゴミ集積場用ネット１０の網地１１と縁部材１２の連結部について、以下図面を用いて説明する。
【００５７】
図５は実施の形態２におけるゴミ集積場用ネットの周縁部を示す要部拡大平面図である。
図５において、１１ａは網地１１の周縁部の角目状の網目、１３は縁部材１２の４×２本のストランドからなる編組ロープ、１４は２本のストランド１４ａ，１４ｂを１組として約１８０°異なる方向に交互に露出するように編組された編組ロープ１３のストランド、１５は２本のストランド１５ａ，１５ｂを１組としてストランド１４と略同一直線上に露出したストランド１４と同色のストランド、１６は２本のストランド１６ａ，１６ｂを１組としてストランド１４，１５と約９０°異なる位置で約１８０°異なる方向に交互に露出するように編組されストランド１４，１５と色の異なる編組ロープ１３のストランド、１７は２本のストランド１７ａ，１７ｂを１組としてストランド１６と略同一直線上に露出したストランド１６と同色のストランド、１８は編組ロープ１３のストランド１５，１７間，網目１１ａ，ストランド１５，１７間に順に編組ロープ１３の長さ方向に挿通された仕立部材、１９は編組ロープ１３の長さ方向にストランド１５，１７間に順に挿通され仕立部材１８と約１８０°異なる位置に配設された補助仕立部材、２０は補助仕立部材１９に連結された鎖からなる重量付加部材、２０ａは重量付加部材２０の輪部である。
【００５８】
ここで、実施の形態２では、網地１１及び／又は縁部材１２の原料として蛍光剤を添加し易いポリエチレン等を使用し、網地１１の所定部及び／又は縁部材１２のストランド１６，１７の所定部には蛍光剤を添加している。また、ストランド１４，１５を黒等の暗視色とし、ストランド１６，１７を黄等の明視色としている。尚、実施の形態１の縁部材３と同様に、各ストランド１４ａ乃至１７ｂの内全て又は所定のストランドの略中心に鉛線からなる重量付加部材を内設したものを用いてもよい。
【００５９】
また、重量付加部材２０は、補助仕立部材１９を編組ロープ１３のストランド１５，１７間，重量付加部材２０の輪部２０ａ，ストランド１５，１７間に順に挿通することにより、編組ロープ１３に連結される。また、重量付加部材２０は、縁部材１２の全周又は縁部材１２の所定辺部，縁部材１２の角部等、縁部材１２の任意の位置に取り付けられる。尚、実施の形態２では、縁部材１２の一対の対向する辺部に重量付加部材２０を取り付けている。
【００６０】
更に、実施の形態２では、縁部材１２の編組ロープ１３の長さが、網地１１の網目１１ａを広げて最大に展開し略正方形にした際の網地１１の外周長さの９０％の長さに形成されている。また、網地１１は、図５に示すように、編組ロープ１３のストランド１５の１ピッチ間に網目１１ａを２目づつ取り付けて編組ロープ１３と連結されている。これにより、網地１１の周縁部がいせ込まれ、図４に示すように、網地１１が膨出状に形成される。
【００６１】
以上のように構成された実施の形態２におけるゴミ集積場用ネット１０は、実施の形態１と同様に、ゴミ集積場に集積されたゴミ袋の山に覆設して使用される他、ガードレール等にゴミ集積場用ネット１０を掛けて使用される。
【００６２】
図６は実施の形態２におけるゴミ集積場用ネットの使用状態を示す全体斜視図である。
図６において、２１はガードレールである。
ゴミ袋Ｘがガードレール２１付近に集積される場合、図６に示すように、ゴミ集積場用ネット１０を二つ折りにしてガードレール２１に掛けて使用する。尚、ゴミ集積場用ネット１０をガードレール２１に掛けて使用する場合、ゴミ集積場用ネット１０が受ける風の影響が大きくなるため、重量付加部材２０側が地面と接するようにゴミ集積場用ネット１０をガードレール２１に掛けるのが好ましい。これにより、縁部材１２を地面に接触させることができるとともに、縁部材１２が風等で捲れ上がるのを防止できる。また、重量付加部材２０をガードレール２１側へ設置して対向する辺部同士を近接させるのが好ましい。これにより、二つ折りにした辺部間からゴミ袋等がはみ出たり、動物がゴミ袋等を荒らすのを防止できる。更に、ガードレール２１の代わりに、フェンス等にゴミ集積場用ネット１０を掛けて使用することもできる。
【００６３】
以上のように実施の形態２におけるゴミ集積場用ネットは構成されているので、実施の形態１の作用に加えて、以下の作用を有する。
（１）縁部材の編組ロープに鎖からなる重量付加部材を仕立部材で連結しているので、縁部材の重量を大きくすることができ、該ゴミ集積場用ネットをガードレール等に掛けて使用する場合でも、縁部材が風等で捲れあがったりして該ゴミ集積場用ネットが飛ぶのを防止できる。
（２）縁部材に重量付加部材を有しているので、縁部材を地面に確実に接触させることができ、地面と縁部材の間に間隙部ができず、カラスや猫，犬等の動物が縁部材を捲り上げて該ゴミ集積場用ネット内のゴミ袋等を荒らすのを防止できる。
（３）編組ロープのストランド間に挿通される補助仕立部材を有しているので、補助仕立部材を仕立部材と同様にストランド間に挿通すると同時に重量付加部材の鎖の輪部に補助仕立部材を挿通することにより、容易に重量付加部材を編組ロープに取り付けることができる。
（４）補助仕立部材をストランド間に挿通すると同時に重量付加部材を編組ロープに取り付けているので、該ゴミ集積場用ネットのメンテナンスの際に、補助仕立部材を取り外すだけで容易に重量付加部材を取り外すことができ、該ゴミ集積場用ネットの洗浄等が容易にできメンテナンス性を向上できる。
（５）網地及び／又は縁部材に蛍光剤を添加しているので、明け方や夕方等の周囲が暗い時に網地及び／又は縁部材が光り、特に、ガードレール等に掛けて使用し歩道等の路上に該ゴミ集積場用ネットがはみ出ている場合でも、歩行者や自動車が該ゴミ集積場用ネットを引っ掛けるのを防止でき安全性を向上することができるとともに、夜間にゴミを回収する場合に回収場所を見つけやすくゴミの回収作業性を向上できる。
【００６４】
（実施の形態３）
本発明の実施の形態３におけるゴミ集積場用ネットについて、以下図面を用いて説明する。
【００６５】
図７は実施の形態３におけるゴミ集積場用ネットの全体平面図である。尚、実施の形態１と同様のものには同一の符号を付して説明を省略する。
【００６６】
図７において、３０は実施の形態３におけるゴミ集積場用ネット、３ａ，３ｂは縁部材３の互いに対向した辺部、３ｃ，３ｄは辺部３ａ，３ｂと隣り合い互いに対向した辺部、３１はゴミ集積場用ネット３０の縁部材３の辺部３ａに仕立糸で結束又は辺部３ａに嵌着されたフック状の係止部材、３２は辺部３ｂ，３ｃと辺部３ｂ，３ｄの角部に取り付けられたリング部材、３３はリング部材３２に係合された鉛や鉄塊等からなる重量付加部材である。
【００６７】
尚、係止部材３１としては、一方に連結孔を有し、実施の形態２の重量付加部材２０の取り付けと同様に、縁部材３の編組ロープ４のストランド１５，１７間と連結孔に補助仕立部材１９を挿通して係止部材３１を縁部材３の辺部３ａの所定部に連結してもよく、また、縁部材３の辺部３ａの所定部に係止部材３１を仕立糸等で結束してもよい。更に、Ｓ字状の係止部材３１を用い一端を縁部材３の辺部３ａに嵌着してもよく、若しくは、フック状の代わりにリング状の金具やループ状の紐体等からなる係止部材を用いてもよい。
【００６８】
また、リング部材３２としては、リング状の金具や紐を仕立糸で縁部材３に結束する代わりに、縁部材３を辺部３ｂ，３ｃと辺部３ｂ，３ｄの角部で突出させて輪状に形成したもの等を用いてもよい。
【００６９】
以上のように構成された実施の形態３におけるゴミ集積場用ネットの使用状態について、以下図面を用いて説明する。
図８は実施の形態３におけるゴミ集積場用ネットの使用状態を示す斜視図である。
図８において、３４は民家や公園等の塀、３５はフック状の係止部材３１が係合される竿等のパイプ状や棒状のネット掛け具、３５ａはネット掛け具３５を塀３４に掛合したフック状の掛け部材である。ここで、ネット掛け具３５としては、係止部材３１が係止できる形状であればよい。
【００７０】
ゴミ集積場が塀３４沿いにあり、塀３４沿いにゴミ袋等が集積される場合、ゴミ集積場用ネット３０は、掛け部材３５ａで塀３４に掛けられたネット掛け具３５に、図８に示すように、係止部材３１を係止してゴミ集積場用ネット３０の辺部３ａ側を吊り下げて使用される。ここで、ネット掛け具３５を塀３４に掛ける代わりに、直接塀３４に係止部材３１を係止してもよく、特に、塀３４が金網やフェンスの場合、塀３４に係止部材３１を直接係止し易い。
ゴミ集積場用ネット３０を係止部材３１でネット掛け具３５に係止すると、網地２でゴミ袋Ｘが覆われ、また、重量付加部材３３が地面と接するとともに、辺部３ｂが地面と接触する。ここで、重量付加部材３３を塀３４側へ寄せると、辺部３ｃ，３ｄと塀３４の間に大きな間隙部が形成されるのを防止できる。
また、ゴミ袋Ｘは、辺部３ｃ，３ｄからゴミ集積場用ネット３０内に入れられる。
【００７１】
以上のように実施の形態３におけるゴミ集積場用ネットは構成されているので、実施の形態１又は２の作用に加えて以下の作用を有する。
（１）該ゴミ集積場用ネットを塀沿い等で使用する場合にも、該ゴミ集積場用ネットの縁部材と塀との間に大きな間隙部を形成することなく、塀に沿って該ゴミ集積場用ネットを取り付けることができ、塀に沿って山積みにされたゴミ袋等を該ゴミ集積場用ネットで確実に覆うことができ、カラスや猫，犬等の動物によりゴミ袋が荒らされるのを防止できる。
（２）該ゴミ集積場用ネットが係止部材を有しているので、塀やネット掛け具に該ゴミ集積場用ネットを係止して一辺側を吊り下げて使用することができ、該ゴミ集積場用ネットを種々の場所で使用できる。
（３）縁部材の角部に重量付加部材を有しているので、重量付加部材を塀側へ寄せるだけで縁部材の辺部と塀との間に大きな間隙部ができるのを防止できるとともに、角部が風等により捲れ上がるのを確実に防止でき、また、塀に沿った辺部側からゴミ袋等を容易に該ゴミ集積場用ネット内に入れることができる。
【００７２】
（実施の形態４）
本発明の実施の形態４におけるゴミ集積場用ネットについて、以下図面を用いて説明する。
【００７３】
図９は実施の形態４におけるゴミ集積場用ネットの平面図である。尚、実施の形態１乃至３と同様のものには同一の符号を付して説明を省略する。
図９において、４０は実施の形態４におけるゴミ集積場用ネット、１２ａ，１２ｂは縁部材１２の互いに対向した辺部、１２ｃ，１２ｄは辺部１２ａ，１２ｂと隣り合い互いに対向した辺部、４１は縁部材１２の辺部１２ａ，１２ｂに所定間隔で配設されたフック状の係止部材である。
ここで、実施の形態４では、網地２は実施の形態１と同様にいせ込まれて縁部材１２に連結されている。また、縁部材１２に、実施の形態１の縁部材３と同様に、重量付加部材を内設してもよい。
また、係止部材４１としては、実施の形態３の係止部材３１と同様に辺部１２ａ，１２ｂに取り付けられる。また、辺部１２ａ，１２ｂの対向する同位置に係止部材４１を配設してもよく、また、異なる位置に配設してもよい。
【００７４】
以上のように構成された実施の形態４におけるゴミ集積場用ネットの使用状態について、以下図面を用いて説明する。
図１０は実施の形態４におけるゴミ集積場用ネットの使用状態を示す斜視図である。
尚、係止部材４１をガードレール２１に係止してゴミ集積場用ネット４０を使用する代わりに、フェンスや塀、若しくは、竿等の棒状やパイプ状のネット掛け具が横架されたネットスタンド等に係止部材４１を係止して使用してもよい。
【００７５】
ゴミ集積場用ネット４０は、辺部１２ａに配設されたフック状の係止部材４１をガードレール２１に係止し、次いで、辺部１２ｂに配設されたフック状の係止部材４１を辺部１２ａに係止して、図１０に示すように、ゴミ集積場用ネット４０を二つ折りにして使用される。ここで、ゴミ集積場用ネット４０は、二つ折りにした輪側が袋状になり、図１０に示すように、網地２が地面に接している。
また、ゴミ袋Ｘは、辺部１２ｂ側の係止部材４１を辺部１２ａから外すか、辺部１２ｃ，１２ｄのいずれかの間からゴミ集積場用ネット４０内に入れられる。更に、ゴミ集積場用ネット４０内からゴミ袋Ｘを回収する場合は、辺部１２ｂ側の係止部材４１を辺部１２ａから外してゴミ袋Ｘを取り出してもよく、また、ゴミ集積場用ネット４０ごと回収してゴミ排出場所でゴミ袋Ｘを排出することもできる。
【００７６】
尚、折り重なった辺部１２ｃ，１２ｄの各所定部にフック状の結合具を配設して対向する辺部１２ｃ，１２ｄに係止して辺部１２ｃ，１２ｄ同士を連結、又は、各辺部１２ｃ，１２ｄの所定部にループ状の結合部を形成して対向するループ状の結合部を交互に挿通して辺部１２ｃ，１２ｄ同士を連結、若しくは、結合用ロープを用いて辺部１２ｃ，１２ｄ同士を連結してもよい。
また、辺部１２ｃ，１２ｄ同士を連結した場合、ゴミ集積場用ネット４０内からゴミ袋Ｘを回収する際に、辺部１２ｂ側の係止部材４１を辺部１２ａから外すとともに、各辺部１２ｃ，１２ｄの連結を外してゴミ袋Ｘを回収してもよい。
【００７７】
以上のように実施の形態４におけるゴミ集積場用ネットは構成されているので、実施の形態１乃至３の作用に加えて以下の作用を有する。
（１）縁部材の対向する辺部にフック状の係止部材を有しているので、ガードレールに該ゴミ集積場用ネットを容易に掛けることができるとともに、該ゴミ集積場用ネットを二つ折りにして、容易に袋状に形成して使用することができる。
（２）該ゴミ集積場用ネットを袋状にして使用できるため、該ゴミ集積場用ネット内に集積されたゴミ袋の山を、該ゴミ集積場用ネットのまま運ぶことができ、ゴミ袋等の回収作業性を向上できる。
（３）ガードレールやフェンス，ネットスタンド等に係止部材を係止して使用することができるので、任意の場所で容易に設置することができ、任意の場所で使用することができるとともに、不要な時には容易に取り外すことができる。
【００７８】
（実施の形態５）
本発明の実施の形態５におけるゴミ集積場用ネットについて、以下図面を用いて説明する。
【００７９】
図１１は実施の形態５におけるゴミ集積場用ネットの平面図であり、図１２は実施の形態５におけるゴミ集積場用ネットの使用状態を示す斜視図である。尚、実施の形態１乃至４と同様のものには同一の符号を付して説明を省略する。
【００８０】
図中、５０は実施の形態５におけるゴミ集積場用ネット、５１はガードレールやフェンスの代わりに地面に設置されるネットスタンド、５２はネットスタンド５１の上部に横架された竿等のパイプ状や棒状のネット掛け具である。
実施の形態５におけるゴミ集積場用ネット５０は、２枚のゴミ集積場用ネット５０の縁部材１２の辺部１２ｂ，１２ｃ，１２ｄを互いに仕立糸等で連結して袋状にし、図１２に示すように、ネットスタンド５１に横架されたネット掛け具５２にフック状の係止部材３１を係止し、袋状にした２枚のゴミ集積場用ネット５０の辺部１２ａ側を吊り下げ袋状の辺部１２ｂ側を地面に接して使用される。尚、ゴミ集積場用ネット５０内にゴミ袋等を入れる場合、係止部材３１をネット掛け具５２から外してゴミ集積場用ネット５０内に入れられる。
また、特に、辺部１２ｂを開閉自在に連結した場合、ゴミ集積場用ネット５０内に集積されたゴミ袋を回収する際に、ゴミ集積場用ネット５０ごと運んでゴミ排出場所で辺部１２ｂの連結を解き開放してゴミ袋を落下排出させることができる。ここで、辺部１２ｂ同士は、ロープやファスナー等により結合、又は、辺部１２ｂに所定間隔でループを形成し互いのループを交互に挿通して結合される。
【００８１】
以上のように実施の形態５におけるゴミ集積場用ネットは構成されているので、実施の形態１乃至４の作用に加えて以下の作用を有する。
（１）ゴミ集積場用ネットを２枚合わせて袋状にしているので、該ゴミ集積場用ネット内のゴミ袋の集積率が向上し、より多くのゴミ袋を集積できる。
（２）ゴミ集積場用ネットがネット掛け具にフック状の係止部材で係止されているので、どちらからでも係止部材を取り外してゴミ集積状用ネット内にゴミ袋を入れることができ、使用性を向上できる。
（３）特に、ゴミ集積場用ネットの下方の辺部を開閉自在に連結した場合、ゴミ袋の回収時に該ゴミ集積場用ネットごと回収してゴミ排出場所で下方の辺部を開放するだけでゴミ袋を落下排出することができ、ゴミの回収作業性を向上できる。
【００８２】
（実施の形態６）
本発明の実施の形態６におけるゴミ集積場用ネットについて、以下図面を用いて説明する。
【００８３】
図１３は実施の形態６におけるゴミ集積場用ネットの平面図である。
尚、実施の形態１乃至５と同様のものには同一の符号を付して説明を省略する。
【００８４】
図１３において、６０は実施の形態６におけるゴミ集積場用ネット、６１はゴミ集積場用ネット６０の網地２の略中央に辺部３ａ，３ｂと略平行に配設され係止部材３１が所定間隔で配設されたロープ状の補助仕立部材、６２は辺部３ｃ，３ｄの所定部に配設されたフック状の辺部用係止部材である。
ここで、辺部用係止部材６２としては、フック状の他、対向する辺部３ｃ，３ｄを結束する紐状体等、ゴミ集積場用ネット６０を補助仕立部材６１で二つ折りにした際に、対向する辺部３ｃ，３ｄを連結できるものが用いられる。
【００８５】
以上のように構成された実施の形態６におけるゴミ集積場用ネットの使用状態について、以下図面を用いて説明する。
図１４は実施の形態６におけるゴミ集積場用ネットの使用状態を示す斜視図である。
ゴミ集積場用ネット６０は、係止部材３１をネット掛け具５２に係止し、ゴミ集積場用ネット６０を補助仕立部材６１で二つ折りにし、辺部３ａ，３ｂが地面側に接するように吊り下げて使用される。ここで、辺部用係止部材６２を対向する辺部３ｃ，３ｄに係止して、ゴミ集積場用ネット６０の辺部３ｃ，３ｄが連結される。
ゴミ袋Ｘは、辺部３ｃ，３ｄのいずれかの辺部用係止部材６２を外して辺部３ｃ，３ｄのいずれかからゴミ集積場用ネット６０内に入れられる。
【００８６】
尚、補助仕立部材６１，係止部材３１を外し、ゴミ集積場用ネット６０の略中央を辺部３ａ，３ｂと略平行にネット掛け具５２やガードレール，フェンス等に掛け、辺部用係止部材６２で対向する辺部３ｃ，３ｄを連結して使用してもよい。これにより、ゴミ集積場用ネット６０を辺部用係止部材６２でネット掛け具５２やガードレール，フェンス等に取り付けることができ、ゴミ集積場用ネット６０が風で飛ぶのを防止できる。
【００８７】
以上のように実施の形態６におけるゴミ集積場用ネットは構成されているので、実施の形態１乃至５の作用に加えて以下の作用を有する。
（１）補助仕立部材を網地の略中央に有しているので、網地の補強ができ、また、補助仕立部材に係止部材を有しているので、網地を二つ折りにしてネット掛け具に係止部材を係止して補助仕立部材側を吊り下げて使用することができ、幅の狭い歩道等でも該ゴミ集積場用ネットを使用できる。
（２）二つ折りにした際に対向する辺部を結合する辺部用係止部材を有しているので、該ゴミ集積場用ネットを二つ折りにして使用する際に対向する辺部間に大きな間隙部が形成されるのを防止でき、カラスや猫，犬等の動物により内部のゴミ袋等が荒らされるのを防止できる。
（３）縁部材に重量付加部材を内設しているので、縁部材の外周に重量付加部材を配設することなく縁部材全体の重量を重くすることができ、風等により各辺部が捲れ上がりゴミ袋が露出するのを防止できるとともに、重量付加部材が縁部材の外周側に露出していないので、該ゴミ集積場用ネットの取り扱い性を向上できる。
（４）補助仕立部材と係止部材を外し、ネット掛け具やガードレール，フェンス等に該ゴミ集積場用ネットを掛け、辺部用係止部材で対向する辺部を係止した場合、該ゴミ集積場用ネットが風で飛ぶのを防止できる。
【００８８】
（実施の形態７）
本発明の実施の形態７におけるゴミ集積場用ネットについて、以下図面を用いて説明する。
【００８９】
図１５は実施の形態７におけるゴミ集積場用ネットの使用状態を示す断面図である。尚、実施の形態１と同様のものには同一の符号を付して説明を省略する。
【００９０】
図１５において、７０は実施の形態７におけるゴミ集積場用ネット、７１は網地２と同様に縁部材３にいせ込まれて連結された膨出状の網地である。
ここで、網地７１は網地２より大きな膨出率で形成するのが好ましい。これにより、網地７１がゴミ集積場用ネット７０内のゴミ袋と接するのを確実に防止でき、使用性を向上できる。
また、縁部材３としては、縁部材３に重量付加部材を内設する代わりに、実施の形態２に示すように、縁部材１２の外周側に重量付加部材を配設してもよい。また、重量付加部材を内設した縁部材３の外周側にさらに重量付加部材を配設して縁部材３の重量を大きくしてもよい。
【００９１】
以上のように実施の形態７におけるゴミ集積場用ネットは構成されているので、実施の形態１乃至６の作用に加えて以下の作用を有する。
（１）網地が二重に形成されているので、網地の強度を向上させることができ、動物により網地が破損されるのを防止できる。
（２）二重に形成された網地の外側が、ゴミ袋等と直接触れるのを防止でき、該ゴミ集積場用ネット内に使用者がゴミ袋を入れる際の不快感を軽減できる。
（３）網地が二重に形成されているので、カラス等の動物により網地の外側からゴミ袋が破られるのを防ぐことができる。
【００９２】
（実施の形態８）
本発明の実施の形態８におけるゴミ集積場用ネットについて、以下図面を用いて説明する。
【００９３】
図１６は実施の形態８におけるゴミ集積場用ネットの上下を逆にした状態を示す斜視図である。尚、実施の形態１と同様のものには同一の符号を付して説明を省略する。
【００９４】
図１６において、８０は実施の形態８におけるゴミ集積場用ネット、８１は縁部材３に三方を連結された第２ネット、８２は縁部材３と第２ネット８１間に形成された開口部である。
実施の形態８におけるゴミ集積場用ネット８０では、開口部８２からゴミ袋等が内部へ入れられる。また、ゴミ集積場用ネット８０内に集積されたゴミ袋は、第２ネット８１又は網地２や縁部材３を引き開口部８２を広げ、開口部８２側を下方に向けて開口部８２から排出される。
ここで、第２ネット８１は、開口部８２を除いて縁部材３に網地２と同様に連結される。尚、第２ネット８１として、網地と縁部材で構成されたものを用いてもよく、縁部材同士を結合用ロープや仕立糸で連結してもよい。また、実施の形態８では、第２ネット８１は、縁部材３に連結した際に略平面状となる大きさに形成されている。尚、第２ネット８１として、網地２と同様に縁部材３に連結した際にいせ込まれて膨出状となるものや、立体的に形成して全体が膨出状となるものを用いてもよい。これにより、該ゴミ集積場用ネット８０のゴミ袋の収容率を向上できる。
【００９５】
以上のように実施の形態８におけるゴミ集積場用ネットは構成されているので、実施の形態１乃至７の作用に加えて以下の作用を有する。
（１）開口部から網地と第２ネットで囲まれた内部へゴミ袋等を入れることができるので、狭い場所でもゴミ袋等の占有面積を広げることなくゴミ袋等を集積できる。
（２）ゴミ袋等を袋状に形成された該ゴミ集積場用ネット内に集積することができるので、ゴミ袋等の回収時に該ゴミ集積場用ネットごと搬送することができ、ゴミ袋等の回収作業性を向上できる。
【００９６】
（実施の形態９）
本発明の実施の形態９におけるゴミ集積場用ネットについて、以下図面を用いて説明する。
【００９７】
図１７は実施の形態９におけるゴミ集積場用ネットの側面図である。尚、実施の形態１と同様のものには同一の符号を付して説明を省略する。
図１７において、９０は実施の形態９におけるゴミ集積場用ネット、９１は網地２に開閉自在に形成された投入開閉部、９２は投入開閉部９１に配設されたファスナーである。
ゴミ集積場用ネット９０内にゴミ袋Ｘを入れる場合、ファスナー９２を開けてゴミ袋Ｘが内部へ入れられる。また、ゴミ集積状用ネット９０内に集積されたゴミ袋Ｘを回収する場合は、ゴミ集積状用ネット９０をゴミ袋Ｘの山から取り外して回収される。
【００９８】
次に、投入開閉部を有したゴミ集積場用ネットの他の例について、図面を用いて説明する。
図１８（ａ）は実施の形態９におけるゴミ集積場用ネットの投入開閉部の開状態時を示す図であり、図１８（ｂ）は実施の形態９におけるゴミ集積場用ネットの投入開閉部の閉状態時を示す図である。
図１８において、９３はゴミ集積場用ネット、９４はゴミ集積場用ネット９３の上方に開閉自在に形成された投入開閉部、９５は縁部に摺動自在に２本の開閉ロープ９５ａを挿通した投入開口部である。
ゴミ集積場用ネット９３内にゴミ袋Ｘを入れる場合、図１８（ａ）に示すように、投入開口部９５を開けて内部へゴミ袋Ｘが入れられる。次いで、投入開口部９５を閉じる場合、２本の開閉ロープ９５ａを互いに他方向に引いて投入開口部９５を絞り、図１８（ｂ）に示すように、巾着状に閉じられる。また、ゴミ集積状用ネット９３内に集積されたゴミ袋Ｘを回収する場合は、ゴミ集積状用ネット９３をゴミ袋Ｘの山から取り外して回収される。
【００９９】
以上のように実施の形態９におけるゴミ集積場用ネットは構成されているので、実施の形態１乃至８の作用に加えて以下の作用を有する。
（１）ゴミ集積場用ネット内にゴミ袋を入れる際に、縁部材を捲り上げることなく、ゴミ袋の山の上方の投入開閉部から入れることができ、ゴミ袋の山が崩れるのを防止でき、使用性を向上できる。
【０１００】
【発明の効果】
以上のように本発明におけるゴミ集積場用ネットによれば、以下の優れた効果を実現できる。
【０１０１】
請求項１に記載の発明によれば、
（１）網地が膨出状に形成されているので、ゴミ集積場に集積されたゴミ袋を広範囲に広げることなくゴミ袋を山積みにした状態で該ゴミ集積場用ネットでゴミ袋の山を確実に覆うことができ、ゴミ袋がゴミ集積場からはみ出すのを防止できる。
（２）網地が膨出状に形成されているので、ゴミ袋が山積みされている場合でもゴミ袋の山を完全に覆うことができ、該ゴミ集積場用ネットの縁部材が地面から浮き縁部材と地面との間に間隙部ができるのを防止でき、カラスや猫，犬等の動物が該ゴミ集積場用ネット内に潜り込んだり、ゴミ袋等を引き出したりしてゴミを荒らすのを防止でき、公衆衛生性を向上できる。
（３）縁部材が、編組ロープと編組ロープのストランド間に挿通された仕立部材で構成されているので、仕立部材を編組ロープのストランド間に挿通して網地の周縁部の網目に挿通する作業を繰り返すだけで、容易に網地を縁部材と連結することができ、該ゴミ集積場用ネットの生産性に優れるとともに、メンテナンス性に優れる。
（４）編組ロープが、４×ｎ本のストランドで編組されているので、編組ロープを長さ方向に圧縮させるか、スパイキ等の挿通具をストランド間に挿通するだけでストランド間を広げて仕立部材を容易に挿通することができ、仕立部材の挿通作業性に優れ、該ゴミ集積場用ネットの生産性に優れる。
（５）特に、仕立部材を編組ロープの略同一直線上に露出したストランド間に挿通した場合、仕立部材の挿通部が露出せず地面に接しないので、仕立部材の耐久性を向上できるとともに、網地と編組ロープとの連結強度に優れる。
（６）特に、各ストランドが約１８０°異なる方向に交互に露出している場合、各ストランドのピッチがより分かり易く、仕立部材の挿通作業性に優れ、また、特に、編組ロープを網地の周縁部の長さより短くし、網地の周縁部をいせ込みながら編組ロープと連結する際に、網地のいせ込みが容易にでき容易に網地を膨出状にすることができ、該ゴミ集積場用ネットの生産性に優れる。
【０１０３】
請求項２に記載の発明によれば、請求項１の効果に加えて、
（７）縁部材の長さが網地の網目を広げて展開し略正方形にした際の網地の外周長さより短く形成されているので、網地を縁部材にいせ込みながら取り付けることができ、網地と縁部材を連結するだけで、容易に網地をいせ込んで膨出状に形成でき、該ゴミ集積場用ネットの生産性に優れる。
【０１０４】
請求項３に記載の発明によれば、請求項１又は２の効果に加えて、
（８）網地及び／又は縁部材に配設された重量付加部材を有しているので、該ゴミ集積場用ネットが風により捲れたりゴミ袋の山から外れて飛ぶのを防止でき、確実にゴミ集積場のゴミ袋の山を覆うことができる。
（９）特に、縁部材に重量付加部材を配設した場合、縁部材が地面から浮き上がり、縁部材と地面との間に間隙部が形成されるのを確実に防止できるとともに、カラスや猫，犬等の動物が縁部材を押し上げて内部のゴミ袋等を荒らすのを確実に防止できる。
（１０）縁部材に重量付加部材を内設した場合、重量付加部材が該ゴミ集積場用ネットの外周側に露出せず、該ゴミ集積場用ネットの取り扱い性を向上でき使用性に優れる。
【０１０５】
請求項４に記載の発明によれば、請求項１乃至３の効果に加えて、
（１１）網地及び／又は縁部材の所定部に係止部材を配設又は形成した場合、該ゴミ集積場用ネットを塀やフェンス，ガードレール、又は竿等のネット掛け具等に係止して使用することができ、種々の場所で使用でき汎用性に優れる。
（１２）特に、該ゴミ集積場用ネットを二つ折りにして対向する位置を係止部材を係止することにより、該ゴミ集積場用ネットを袋状にして使用することができ、特に、狭いゴミ集積場でも集積されたゴミ袋を広範囲に広げることなく該ゴミ集積場用ネットで覆うことができるとともに、ゴミ袋の回収時に該ゴミ集積場用ネットとともにゴミ袋を移動することができ、回収作業性を向上できる。
（１３）網地の所定部に補助仕立部材を配設した場合、該ゴミ集積場用ネットの網地の補強ができ、また、縁部材の所定部に補助仕立部材を配設した場合、補助仕立部材に重量付加部材や係止部材を取り付けることができ、使用性や汎用性に優れる。
【０１０６】
請求項５に記載の発明によれば、請求項１乃至４の効果に加えて、
（１４）網地を二重に形成することにより、網地を補強することができ、該ゴミ集積場用ネットの耐久性を向上できるとともに、カラスや猫，犬等の動物が網地を破るのを防止でき、動物による被害を確実に防止できる。
（１５）網地を二重に形成することにより、外周側の網地が直接ゴミ袋等に触れるのを防止でき、該ゴミ集積場用ネット内にゴミ袋を入れる際の不快感を軽減でき、使用性に優れる。
（１６）網地又は縁部材に連結された第２ネットを備えることにより、該ゴミ集積場用ネットを膨出状の膨らみを有した袋状に形成することができ、狭い場所でもゴミ袋が占める占有面積を広げることなくゴミ袋を集積でき、使用性に優れる。
（１７）該ゴミ集積場用ネットを袋状にした場合、内部に集積されたゴミ袋を該ゴミ集積場用ネットと共に容易に持ち運ぶことができ、ゴミ袋等の回収作業性に優れる。
【０１０７】
請求項６に記載の発明によれば、請求項１乃至５の効果に加えて、
（１８）網地及び／又は第２ネットの所定部に投入開閉部を備えているので、該ゴミ集積場用ネット内にゴミ袋を入れる際に、縁部材を捲り上げることなく、投入開閉部から入れることができ、ゴミ袋の山が崩れるのを防止でき、ゴミ袋の山の上方側から容易にゴミ袋を入れることができ使用性に優れる。
【図面の簡単な説明】
【図１】実施の形態１におけるゴミ集積場用ネットの全体斜視図
【図２】実施の形態１におけるゴミ集積場用ネットの周縁部を示す要部拡大平面図
【図３】実施の形態１におけるゴミ集積場用ネットの使用状態を示す断面図
【図４】実施の形態２におけるゴミ集積場用ネットの全体斜視図
【図５】実施の形態２におけるゴミ集積場用ネットの周縁部を示す要部拡大平面図
【図６】実施の形態２におけるゴミ集積場用ネットの使用状態を示す全体斜視図
【図７】実施の形態３におけるゴミ集積場用ネットの全体平面図
【図８】実施の形態３におけるゴミ集積場用ネットの使用状態を示す斜視図
【図９】実施の形態４におけるゴミ集積場用ネットの平面図
【図１０】実施の形態４におけるゴミ集積場用ネットの使用状態を示す斜視図
【図１１】実施の形態５におけるゴミ集積場用ネットの平面図
【図１２】実施の形態５におけるゴミ集積場用ネットの使用状態を示す斜視図
【図１３】実施の形態６におけるゴミ集積場用ネットの平面図
【図１４】実施の形態６におけるゴミ集積場用ネットの使用状態を示す斜視図
【図１５】実施の形態７におけるゴミ集積場用ネットの使用状態を示す断面図
【図１６】実施の形態８におけるゴミ集積場用ネットの上下を逆にした状態を示す斜視図
【図１７】実施の形態９におけるゴミ集積場用ネットの側面図
【図１８】（ａ）実施の形態９におけるゴミ集積場用ネットの投入開閉部の開状態時を示す図
（ｂ）実施の形態９におけるゴミ集積場用ネットの投入開閉部の閉状態時を示す図
【符号の説明】
１，１０，３０，４０，５０，６０，７０，８０，９０，９３  ゴミ集積場用ネット
２，１１，７１  網地
２ａ，１１ａ  網目
３，１２  縁部材
３ａ，３ｂ，３ｃ，３ｄ，１２ａ，１２ｂ，１２ｃ，１２ｄ  辺部
４，１３  編組ロープ
５，５ａ，５ｂ，６，６ａ，６ｂ，７，７ａ，７ｂ，８，８ａ，８ｂ，１４，１４ａ，１４ｂ，１５，１５ａ，１５ｂ，１６，１６ａ，１６ｂ，１７，１７ａ，１７ｂ  ストランド
９，１８  仕立部材
１９，６１  補助仕立部材
２０，３３  重量付加部材
２０ａ  輪部
２１  ガードレール
３１，４１  係止部材
３２  リング部材
３４  塀
３５，５２  ネット掛け具
３５ａ  掛け部材
５１  ネットスタンド
６２  辺部用係止部材
８１  第２ネット
８２  開口部
９１，９４  投入開閉部
９２  ファスナー
９５  投入開口部
９５ａ  開閉ロープ
【図１】
0003650544.tif 000002
【図２】
0003650544.tif 000003
【図３】
0003650544.tif 000004
【図４】
0003650544.tif 000005
【図５】
0003650544.tif 000006
【図６】
0003650544.tif 000007
【図７】
0003650544.tif 000008
【図８】
0003650544.tif 000009
【図９】
0003650544.tif 000010
【図１０】
0003650544.tif 000011
【図１１】
0003650544.tif 000012
【図１２】
0003650544.tif 000013
【図１３】
0003650544.tif 000014
【図１４】
0003650544.tif 000015
【図１５】
0003650544.tif 000016
【図１６】
0003650544.tif 000017
【図１７】
0003650544.tif 000018
【図１８】
0003650544.tif 000019